(57)【要約】【課題】      石灰化効率のよい種類の有孔虫類を飼育して場合においても、長期に安定的に増養殖が可能な増養殖装置及び生産方法を提供する。【解決手段】  増養殖装置は、バット５に、２ｃｍほどで短く突起が直立した形状の人工芝７が敷かれ、その上に直径１００〜５００μｍサイズのサンゴ砂９が１ｃｍほどの厚さで敷き詰められている。増養殖装置は、エアレーション１１を備えている。エアレーション１１は、サンゴ砂９がバット５の底面（人工芝７の底面）で均一に常時撹拌されて、しかもその状態が維持されるように、バット５全体の水をランダムに撹拌するためのものである。【選択図】  図４
2014171459.tif 000002
【特許請求の範囲】
【請求項１】
原形質の足により移動能力があって光合成を行う有孔虫類を飼育して増養殖が可能な増養殖装置において、
前記有孔虫類が飼育される水槽と、
前記水槽の底面側に敷き詰められた砂と、
前記砂から上に向かって飛び出て前記有孔虫類がその表面に付着可能な突起と、
前記水槽の底面側で前記砂が均一に撹拌されるように、前記水槽内の水のランダムな水流を起こす水流発生手段とを備えた、増養殖装置。
【請求項２】
前記水流発生手段は、前記水槽内にエアーを送りこむエアレーションを含む、ものである、請求項１記載の増養殖装置。
【請求項３】
前記有孔虫類はホシズナであることを特徴とする、請求項１又は２記載の増養殖装置。
【請求項４】
上記前記水槽の底面への光量が５００μmol photon/m2/s以上に調整されていることを特徴する、請求項１から３のいずれかに記載の増養殖装置。
【請求項５】
原形質の足により移動能力があって光合成を行う有孔虫類を飼育して増養殖が可能な増養殖方法において、
前記有孔虫類が飼育される水槽の底面側に敷き詰められた砂から上に向かって飛び出た突起の表面に前記有孔虫類が付着可能であり、
前記水槽の水のランダムな水流により前記水槽の底面側で前記砂を均一に撹拌させることを特徴とする、増養殖方法。
【発明の詳細な説明】
【技術分野】
【０００１】
本発明は、有孔虫類の増養殖装置及び増養殖方法に関し、特に有孔虫類を飼育して増養殖可能な増養殖装置及び増養殖方法に関する。
【背景技術】
【０００２】
近年、環境問題という表現で取り挙げるように、地球に対する悪影響が生じているのではないかという議論が活発化してきた。特に大気中の二酸化炭素（ＣＯ２）等の増加による温暖化がニュースでも報じられ、マスコミでも度々取り挙げられている。
【０００３】
そして、温暖化による影響は海面上昇を生じさせ、熱帯域に多数分布する環礁の島々においては、標高が１〜２ｍと低平であるため、今世紀に予測されている０．５ｍの海面上昇で、島自体が浸食・水没してしまうことが危惧されている。
【０００４】
このような浸食対策には、コンクリート等で埋め立てることが考えられるが、生物学的・地質学的に検討すると海域の一部の島の形成過程には有孔虫類による殻の生産が非常に重要であると言われおり、海岸環境の悪化によって生態系の劣化が深刻な現状を考えると、有孔虫類の生産を維持・増殖させることが、今後さらに重要になってくる。
【０００５】
ここで、有孔虫類とは、一般に、炭酸カルシウムを主成分として石灰質の殻を持ち、偽足を出して運動する海産の原生動物の一群をいう。
【０００６】
このような重要な役割を担うと言われる有孔虫類の生態に関しては、有性生殖と無性生殖（クローニング）によって増殖すると言われているが、十分な解明がなされていない。
【０００７】
このような状況の中で、特許文献１に記載のように、本願発明者によって、有孔虫類を長期間飼育できる環境が見出された。その結果、増養殖によって有孔虫類を生産する可能性が現実的なものとなった。
【０００８】
特許文献１記載の技術では、まず、多層構造で、最上位層が、網目構造が立体的な構造で形成されて水中内に配置されることにより、移動能力を持たない物は落下し、原形質の足により移動能力のある有孔虫類はその表面に付着可能としている。そして、有孔虫類の生育場となる生育基盤部材である濾過濾材を水中に配置し、循環手段によって生育基盤部材よりも上方の水に水平方向の流れを生じさせながら網目構造内において水を循環させる。さらに、循環手段が、濾過濾材の下面側で、生育基板部材の網目構造を通過した水を吸引口により吸引し、吸引した水を生育基盤部材よりも上方の水中で水平方向に向けて開口する吐出口から吐き出すことにしている。これにより、気泡が発生することを防止しつつ生育基盤部材よりも上方の水に水平方向の流れを生じさせて、生育基板部材における網目構造内において、網目構造の立体的な構造により立体的な流れを生じさせて水を循環させて、有孔虫類の生育環境を作り出している。
【先行技術文献】
【特許文献】
【０００９】
【特許文献１】特許第４４８１９３８号公報
【発明の概要】
【発明が解決しようとする課題】
【００１０】
しかしながら、特許文献１の技術では、水の循環だけでは砂の撹拌が均一とならず偏りが生じてしまうことが判明した。また、網目構造では有孔虫類が絡んでしまうことも分かり、有孔虫類にとって必ずしも快適な環境とは言えない状況であることも判明した。網目構造に絡まった有孔虫類には藍藻類が付き易い。石灰化速度が速い種類の有孔虫類（具体的にはホシズナなど）に適用した場合、有孔虫類自身の光合成のためにも必要とされる強太陽光条件下によって同時に発生する藍藻類で覆われることから、藍藻類による有孔虫類の斃死が主な死亡要因であることが判明した。さらに、生存したとしても、未熟でサイズが小さい状態で生き残る状況であった。
【００１１】
ゆえに、本発明は、石灰化効率のよい種類の有孔虫類を飼育して場合においても、長期に安定的に増養殖が可能な増養殖装置及び増養殖方法を提供することを目的とする。
【課題を解決するための手段】
【００１２】
本発明の第１の観点は、原形質の足により移動能力があって光合成を行う有孔虫類を飼育して増養殖が可能な増養殖装置において、前記有孔虫類が飼育される水槽と、前記水槽の底面側に敷き詰められた砂と、前記砂から上に向かって飛び出て前記有孔虫類がその表面に付着可能な突起と、前記水槽の底面側で前記砂が均一に撹拌されるように、前記水槽内の水のランダムな水流を起こす水流発生手段とを備えた、増養殖装置である。
【００１３】
ここで、前記水槽の底面側で前記砂が均一に撹拌される際には、前記突起への前記砂ができるだけ舞い上がりながら撹拌されるとよい。これは、有孔虫の飼育条件である高光量条件下で発生する有害な藍藻類等の微細藻類を砂および水流の複合効果による攪拌によって抑制するためである。一方で、攪拌は有孔虫が前記突起から剥離する程強くてはならない。なぜなら、前記有孔虫類は前記突起に付着して光合成を行うため、できるだけ前記突起に付着した状態が保たれてことが好ましく、前記突起から剥離した場合は光合成にとっての光量が十分に得られないからである。
【００１４】
また、突起としては、人工的なものであれば、例えば人工芝の突起が用いられればよい。水槽内の水のランダムな水流による水の撹拌によって、突起が砂に埋もれることがなく、砂から上に向けて飛び出ている状態が保たれる強度・剛性があるものがよい。
【００１５】
ここで、上記水は、有孔虫類が生存するために必要な塩分などが含まれた海水等である。
【００１６】
本発明の第２の観点は、上記第１の観点において、前記水流発生手段が、前記水槽内にエアーを送りこむエアレーションを含む、ものである。エアーの吹き出しとしては、突起の半分の高さとほぼ等しいような高さでの吹き出しが好ましい。
【００１７】
本発明の第３の観点は、上記第１又は第２の観点において、前記有孔虫類がホシズナであることを特徴とする。
【００１８】
本発明の第４の観点では、上記第１から第３の観点のいずれかにおいて、前記水槽の底面への光量が５００μmol  photon/m2/s以上に調整されていることを特徴する。
【００１９】
本発明の第５の観点は、原形質の足により移動能力があって光合成を行う有孔虫類を飼育して増養殖が可能な増養殖方法において、前記有孔虫類が飼育される水槽の底面側に敷き詰められた砂から上に向かって飛び出た突起の表面に前記有孔虫類が付着可能であり、前記水槽の水のランダムな水流により前記水槽の底面側で前記砂を均一に撹拌させることを特徴とするものである。なお、前記砂の均一な撹拌は、前記水槽内の水のランダム水流による撹拌を起こして前記水槽の底面側で行われることがよい。
【００２０】
また、突起としては、人工的なものであれば、例えば人工芝の突起が用いられればよい。水槽内の水のランダムな水流による撹拌によって、突起が砂に埋もれることがなく、砂から上に向けて飛び出ている状態が保たれる強度・剛性があるものがよい。
【発明の効果】
【００２１】
本願の発明によれば、突起が水のランダムな水流によっても有孔虫類が付着できる生育場所としての役割を保ちつつ、水のランダムな水流によって水槽の底面側で砂が均一に撹拌されることにより、藍藻等の微細藻類の繁茂が抑制され、且つ、有孔虫類が効率良く光合成を行える環境が得られる。その結果、原形質の足により移動能力のある有孔虫類は突起に付着して未成体個体から成熟できる。よって、石灰化効率のよい種類の有孔虫類を飼育した場合においても、繁殖による長期に安定的に増養殖が可能となる。
【図面の簡単な説明】
【００２２】
【図１】本発明の実施の形態にかかる有孔虫類の増養殖装置を含む設備の全体の概略を示した図である。
【図２】図１のうち増養殖装置のバット部分の内部を示した図である。
【図３】図２の増養殖装置の底面側の表面を拡大した図である。
【図４】バット部分に敷かれた人工芝とサンゴ砂とエアレーションの関係を示した図である。
【図５】図１にも示される状態を示した図であってエアレーションによる藍藻抑制が行われている状態を示す図である。
【図６】図５のエアレーションによる藍藻抑制が行われている状態を真上から示す図である。
【図７】石灰化速度がよい有孔虫類としてのホシズナが飼育されている状態を示す図である。
【図８】図７の人工芝より長く幅の厚い突起を有するタイプの人工芝を使用した状態の図である。
【図９】投入から６ヶ月後のホシズナの状態を示した図である。
【図１０】図９のホシズナの分裂間近の個体と分裂によって生じた次世代の個体をさらに拡大した図である。
【図１１】投入前のホシズナの投入前の個体サイズと６ヶ月後の個体サイズを比較したグラフである。
【図１２】エアレーションに変えてシャワーを用いた場合を示した図である。
【発明を実施するための形態】
【００２３】
図１は本発明の実施の形態にかかる有孔虫類の増養殖装置を含む設備の全体の概略を示した図である。図２は図１のうち増養殖装置のバット部分の内部を示した図である。図３は図２の増養殖装置の底面側の表面を拡大した図である。図４はバット部分に敷かれた人工芝とサンゴ砂とエアレーションの関係を示した図である。図５は図１にも示される状態を示した図であってエアレーションによる藍藻抑制が行われている状態を示す図である。図６は図５のエアレーションによる藍藻抑制が行われている状態を真上から示す図である。
【００２４】
図１に示すように、この増養殖装置１は、室内用なために水槽３を備える。増養殖装置１は、水が入れられる水槽３の底面側に配置されるバット５を備える。なお、ここで水としたが、水は有孔虫類の生存に必要な塩分等を含んだ海水等であり、以下、同様である。
【００２５】
バット５は、図示を省略するが、全体の水深が浅くなるように調節した排水口が付いている。バット５には、２ｃｍほどで短く突起が直立した形状の人工芝７が敷かれ、その上に直径１００〜５００μｍサイズのサンゴ砂９が１ｃｍほどの厚さで敷き詰められている。ここで、人工芝７による突起は、原形質の足により移動能力があって有孔虫類で石灰化速度が速い種類の有孔虫類、具体的には例えばホシズナが登ってきて付着して成熟する際に用いられるものである。
【００２６】
増養殖装置１は、エアレーション１１を備えている。エアレーション１１は、図４に示すように、サンゴ砂９がバット５の底面（人工芝７の底面）で均一に常時撹拌されて、しかもその状態が維持されるように、バット５全体の水をランダムに撹拌するためのものである。そのために、エアレーション１１は、偏りが生じて有孔虫類が埋もれてしまってその状態が定常化して死滅することを防止して均一で常時の砂の撹拌を起こすべく、砂の下からのエアーの吹き込みではなく人工芝７の突起の半分の高さとほぼ等しいような高さでのエアーの吹き出しを行っている。このように、サンゴ砂９を均一に常時撹拌することにより、微細な藍藻類は有孔虫類（例えばホシズナ）には剥がれて付かず、石灰化速度が良く固い有孔虫類にとって自身の光合成を行い易い快適な環境とできることが重要である。
【００２７】
ここで、バット５の底面の光量は、５００μｍｏｌ  ｐｈｏｔｏｎ／ｍ２／ｓ以上となるように、好ましくは１０００μｍｏｌ  ｐｈｏｔｏｎ／ｍ２／ｓ以上となるように、照明の光の強さが調整されている。
【００２８】
図７は石灰化速度がよい有孔虫類としてのホシズナが飼育されている状態を示す図である。図８は図７の人工芝より長く幅の厚い突起を有するタイプの人工芝を使用した状態の図である。図９は投入から６ヶ月後のホシズナの状態を示した図である。図１０は図９のホシズナの分裂間近の個体と分裂によって生じた次世代の個体をさらに拡大した図である。図１１は投入前のホシズナの投入前の個体サイズと６ヶ月後の個体サイズを比較したグラフである。
【００２９】
ここで、図１１の各図における縦軸が出現頻度を表し、横軸がサイズを表す。図１１（Ａ−１）が投入前の分布で図１１（Ａ−２）が６ヶ月後の分布で実験１を示し、図１１（Ｂ−１）が投入前の分布で図１１（Ｂ−２）が６ヶ月後の分布で実験２を示し、図１１（Ｃ−１）が投入前の分布で図１１（Ｃ−２）が６ヶ月後の分布で実験３を示し、１１（Ｄ−１）が投入前の分布で図１１（Ｄ−２）が６ヶ月後の分布で実験４を示す。
【００３０】
このような増養殖装置１によって、図７〜図１１に示す実験結果からも分かるように、藍藻類等の微細藻類の繁茂が抑制され、且つ、ホシズナのように石灰化速度がよい有孔虫類にとって好適な環境が生み出される。すなわち、ホシズナのように石灰化速度がよい有孔虫類が効率良く光合成を行える環境が得られる。その結果、原形質の足により移動能力のある有孔虫類は突起に付着して未成体個体から成熟できる。よって、石灰化効率のよい種類の有孔虫類を飼育した場合においても、繁殖による長期に安定的に増養殖が可能となる。
【００３１】
上記実施の形態では、エアレーションを用いたが、他の手段を用いてもよい。例えば、図１２に示すように、シャワーのように水を落として、水槽の水のランダムな水流を発生させてランダムな水の撹拌を発生させるために小さな渦を均一的で多数発生させることでもよい。その際、シャワーの水に対して風を与えてランダムな小さな渦の発生を均一化するようにしてもよい。さらには、シャワーを用いる際に、砂の均一で常時のより良い撹拌を生じさせるために水槽をランダムに動かす若しくはシャワーをランダムに動かす又は両者をランダムに動かすことを行ってもよい。
【００３２】
なお、上記実施の形態では、原形質の足により移動能力があって光合成を行う有孔虫類としてホシズナを示したが、石灰化速度がよい他の種類の有孔虫類のものでもよい。
【符号の説明】
【００３３】
１  増養殖装置
３  水槽
５  バット
７  人工芝
９  サンゴ砂
１１  エアレーション
【図１】
2014171459.tif 000003
【図２】
2014171459.tif 000004
【図３】
2014171459.tif 000005
【図４】
2014171459.tif 000006
【図５】
2014171459.tif 000007
【図６】
2014171459.tif 000008
【図７】
2014171459.tif 000009
【図８】
2014171459.tif 000010
【図９】
2014171459.tif 000011
【図１０】
2014171459.tif 000012
【図１１】
2014171459.tif 000013
【図１２】
2014171459.tif 000014